(57)【要約】【課題】この発明は、地域によって異なる受信可能なチャンネル数に対応させて、電子番組表の表示形態をより一層見易くなるように変えることにより、ユーザにとって効率的で見易い番組表表示を行なうことを可能とした番組表表示装置及び番組表表示方法を提供することを目的としている。【解決手段】複数のチャンネル表示枠を一方向に配列するとともに、チャンネル表示枠の配列方向に直交する方向に時間枠（７３１〜７３３）を配列してなる電子番組表について、表示すべく設定されたチャンネル数が基準数よりも多い場合、チャンネル表示枠の配列方向に、設定されたチャンネル数に対応する数のチャンネル表示枠（７２１〜７２９）を配列させるために、各チャンネル表示枠の幅を基準数に基づいて作成されたときよりも１チャンネル分の表示枠の幅が平均で縮小するように電子番組表の表示形態を制御する。【選択図】図９
2009071357.tif 000002
【特許請求の範囲】
【請求項１】
番組情報を取得する取得手段と、
前記取得手段で取得された番組情報に基づいて、それぞれがチャンネルに対応する予め設定された基準数のチャンネル表示枠をほぼ均等な幅で一方向に配列するとともに、前記チャンネル表示枠の配列方向に直交する方向に時間枠を配列し、前記チャンネル表示枠と時間枠とで示される領域を番組の表示欄とする電子番組表を作成する作成手段と、
受信可能なチャンネルを検出して前記電子番組表に表示するチャンネル数を設定する設定手段と、
前記設定手段で設定されたチャンネル数が前記基準数に一致する場合、前記作成手段で作成された電子番組表を表示させ、前記設定手段で設定されたチャンネル数が前記基準数よりも多い場合、前記作成手段で作成された電子番組表の前記チャンネル表示枠の配列方向に、前記設定手段で設定されたチャンネル数に対応する数のチャンネル表示枠を配列させるために、各チャンネル表示枠の幅を前記基準数に基づいて作成されたときよりも１チャンネル分の表示枠の幅が平均で縮小するように前記電子番組表の表示形態を制御して表示させる制御手段とを具備することを特徴とする番組表表示装置。
【請求項２】
前記設定手段は、受信可能なチャンネルを検出して得られたチャンネル数から、前記電子番組表に表示しないように設定されたチャンネルを除くことにより、前記電子番組表に表示するチャンネル数を設定することを特徴とする請求項１記載の番組表表示装置。
【請求項３】
前記制御手段により表示形態を制御された前記電子番組表の番組表示欄に表示される文字のサイズを変更する文字サイズ変更手段を具備することを特徴とする請求項１記載の番組表表示装置。
【請求項４】
前記制御手段により表示形態を制御された前記電子番組表の番組表示欄に表示される情報量を変更する情報量変更手段を具備することを特徴とする請求項１記載の番組表表示装置。
【請求項５】
前記制御手段により表示形態を制御された前記電子番組表の番組表示欄の大きさに応じて、前記電子番組表に表示される文字サイズ及び情報量の少なくとも一方を変更する変更手段を具備することを特徴とする請求項１記載の番組表表示装置。
【請求項６】
前記制御手段は、前記設定手段で設定されたチャンネル数が前記基準数よりも少ない場合、前記作成手段で作成された電子番組表の前記チャンネル表示枠の配列方向に、前記設定手段で設定されたチャンネル数に対応する数のチャンネル表示枠を配列させるために、各チャンネル表示枠の幅を前記基準数に基づいて作成されたときよりも１チャンネル分の表示枠の幅が平均で拡大するように前記電子番組表の表示形態を制御して表示させることを特徴とする請求項１記載の番組表表示装置。
【請求項７】
放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を出力する出力手段と、
番組情報を取得する取得手段と、
前記取得手段で取得された番組情報に基づいて、それぞれがチャンネルに対応する予め設定された基準数のチャンネル表示枠をほぼ均等な幅で一方向に配列するとともに、前記チャンネル表示枠の配列方向に直交する方向に時間枠を配列し、前記チャンネル表示枠と時間枠とで示される領域を番組の表示欄とする電子番組表を作成する作成手段と、
受信可能なチャンネルを検出して前記電子番組表に表示する複数のチャンネルを設定する設定手段と、
前記設定手段で設定されたチャンネル数が前記基準数に一致する場合、前記作成手段で作成された電子番組表を表示させ、前記設定手段で設定されたチャンネル数が前記基準数よりも多い場合、前記作成手段で作成された電子番組表の前記チャンネル表示枠の配列方向に、前記設定手段で設定されたチャンネル数に対応する数のチャンネル表示枠を配列させるために、各チャンネル表示枠の幅を前記基準数に基づいて作成されたときよりも１チャンネル分の表示枠の幅が平均で縮小するように前記電子番組表の表示形態を制御して表示させる制御手段とを具備することを特徴とする放送受信装置。
【請求項８】
番組情報を取得する工程と、
取得された番組情報に基づいて、それぞれがチャンネルに対応する予め設定された基準数のチャンネル表示枠をほぼ均等な幅で一方向に配列するとともに、前記チャンネル表示枠の配列方向に直交する方向に時間枠を配列し、前記チャンネル表示枠と時間枠とで示される領域を番組の表示欄とする電子番組表を作成する工程と、
受信可能なチャンネルを検出して前記電子番組表に表示する複数のチャンネルを設定する工程と、
設定されたチャンネル数が前記基準数に一致する場合、作成された電子番組表を表示させ、設定されたチャンネル数が前記基準数よりも多い場合、作成された電子番組表の前記チャンネル表示枠の配列方向に、設定されたチャンネル数に対応する数のチャンネル表示枠を配列させるために、各チャンネル表示枠の幅を前記基準数に基づいて作成されたときよりも１チャンネル分の表示枠の幅が平均で縮小するように前記電子番組表の表示形態を制御して表示させる工程とを具備することを特徴とする番組表表示方法。
【発明の詳細な説明】
【技術分野】
【０００１】
この発明は、例えばデジタルテレビジョン放送受信装置等に使用して好適する番組表表示装置及び番組表表示方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタル放送受信装置では、放送信号から取得したＥＰＧ（electronic program guide）情報に基づいて電子番組表を作成し、画面に映像表示している。これにより、ユーザは、映像表示された電子番組表から所望の番組を選択して、視聴や録画予約等を行なうことができる。
【０００４】
ところで、テレビジョン放送においては、地域によって、受信可能なチャンネル数が異なっている。このため、デジタル放送受信装置としても、地域によって異なる受信可能なチャンネル数に対応させて、ユーザがより一層見易くなるように電子番組表の表示に工夫を施すことが重要となる。
【０００５】
特許文献１には、受信可能なチャンネル数Ｍが１画面に表示可能なチャンネル数Ｎよりも小さいか否かを判別し、受信可能なチャンネル数Ｍの方が小さい場合には、１画面全体にＭチャンネル分の番組情報を表示させ、それ以外の場合には、１画面にＮチャンネル分の番組情報を表示させることが開示されている。
【特許文献１】特開２００５−２０３９５５号公報
【発明の開示】
【発明が解決しようとする課題】
【０００６】
そこで、この発明は上記事情を考慮してなされたもので、地域によって異なる受信可能なチャンネル数に対応させて、電子番組表の表示形態をより一層見易くなるように変えることにより、ユーザにとって効率的で見易い番組表表示を行なうことを可能とした番組表表示装置及び番組表表示方法を提供することを目的とする。
【課題を解決するための手段】
【０００７】
この発明に係る番組表表示装置は、番組情報を取得する取得手段と、取得手段で取得された番組情報に基づいて、それぞれがチャンネルに対応する予め設定された基準数のチャンネル表示枠をほぼ均等な幅で一方向に配列するとともに、チャンネル表示枠の配列方向に直交する方向に時間枠を配列し、チャンネル表示枠と時間枠とで示される領域を番組の表示欄とする電子番組表を作成する作成手段と、受信可能なチャンネルを検出して電子番組表に表示するチャンネル数を設定する設定手段と、設定手段で設定されたチャンネル数が基準数に一致する場合、作成手段で作成された電子番組表を表示させ、設定手段で設定されたチャンネル数が基準数よりも多い場合、作成手段で作成された電子番組表のチャンネル表示枠の配列方向に、設定手段で設定されたチャンネル数に対応する数のチャンネル表示枠を配列させるために、各チャンネル表示枠の幅を基準数に基づいて作成されたときよりも１チャンネル分の表示枠の幅が平均で縮小するように電子番組表の表示形態を制御して表示させる制御手段とを備えるようにしたものである。
【０００８】
また、この発明に係る番組表表示方法は、番組情報を取得する工程と、取得された番組情報に基づいて、それぞれがチャンネルに対応する予め設定された基準数のチャンネル表示枠をほぼ均等な幅で一方向に配列するとともに、チャンネル表示枠の配列方向に直交する方向に時間枠を配列し、チャンネル表示枠と時間枠とで示される領域を番組の表示欄とする電子番組表を作成する工程と、受信可能なチャンネルを検出して電子番組表に表示する複数のチャンネルを設定する工程と、設定されたチャンネル数が基準数に一致する場合、作成された電子番組表を表示させ、設定されたチャンネル数が基準数よりも多い場合、作成された電子番組表のチャンネル表示枠の配列方向に、設定されたチャンネル数に対応する数のチャンネル表示枠を配列させるために、各チャンネル表示枠の幅を基準数に基づいて作成されたときよりも１チャンネル分の表示枠の幅が平均で縮小するように電子番組表の表示形態を制御して表示させる工程とを備えるようにしたものである。
【発明の効果】
【０００９】
上記した発明によれば、電子番組表に表示すべく設定されたチャンネル数が基準数よりも多い場合、作成された電子番組表のチャンネル表示枠の配列方向に、設定されたチャンネル数に対応する数のチャンネル表示枠を配列させるために、各チャンネル表示枠の幅を基準数に基づいて作成されたときよりも１チャンネル分の表示枠の幅が平均で縮小するように電子番組表の表示形態を制御するようにしたので、地域によって異なる受信可能なチャンネル数に対応させて、電子番組表の表示形態をより一層見易くなるように変えることができ、ユーザにとって効率的で見易い番組表表示を行なうことを可能とすることができる。
【発明を実施するための最良の形態】
【００１０】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１１】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、スピーカ１５、操作部１６、リモートコントローラ１７から送信される操作情報を受ける受光部１８等が設置されている。
【００１２】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１３】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００１４】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００１５】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００１６】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００１７】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００１８】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００１９】
さらに、この第２のＬＡＮ端子２２は、ハブ２６に接続されたブロードバンドルータ３１を介して、例えばインターネット等のネットワーク３２に接続可能であり、そのネットワーク３２を介してＰＣ３３や携帯電話３４等の各種情報端末と情報伝送を行なうために使用される。
【００２０】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２１】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等をシリアル接続し、これらの機器と情報伝送を行なうために使用される。
【００２２】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２３】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００２４】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００２５】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００２６】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００２７】
ここで、上記信号処理部４８は、ＴＳ復号器４７，５３からそれぞれ供給されたデジタルの映像信号及び音声信号に対して、選択的に所定のデジタル信号処理を施し、グラフィックス処理部５６及び音声処理部５７に出力している。
【００２８】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００２９】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィックス処理部５６及び音声処理部５７に出力している。
【００３０】
このうち、グラフィックス処理部５６は、信号処理部４８から供給されるデジタルの映像信号に、ＯＳＤ（on screen display）信号生成部５９で生成されるＯＳＤ信号を重畳して出力する機能を有する。また、このグラフィックス処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３１】
そして、グラフィックス処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３２】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３３】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００３４】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００３５】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００３６】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００３７】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００３８】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００３９】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４０】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４１】
また、上記制御部６３は、番組表作成制御部６３ｅを備えている。この番組表作成制御部６３ｅは、詳細は後述するが、受信可能なチャンネル数に対応させて、映像表示器１４に表示される電子番組表の表示形態を、ユーザがより一層見易くなるように変える機能を有している。
【００４２】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４３】
そして、このデジタルテレビジョン放送受信装置１１では、ユーザがリモートコントローラ１７の番組表キー１７ｈを操作することにより、電子番組表を映像表示器１４に表示させることができる。なお、この電子番組表は、予め放送信号やネットワーク等を介して取得した番組情報であるＥＰＧ情報に基づいて作成されるものである。
【００４４】
ここで、この実施の形態に係る電子番組表の表示形態について詳細に説明するのに先立ち、従来の電子番組表の表示形態について簡単に説明しておくことにする。すなわち、従来の電子番組表は、図４に示すように、水平方向にそれぞれが放送局（チャンネル）に対応する複数（図示の場合は７つ）のチャンネル表示枠７２１〜７２７を配列し、垂直方向にそれぞれが１時間に対応する複数（図示の場合は３時間分）の時間枠７３１〜７３３を配列しており、チャンネル表示枠７２１〜７２７と時間枠７３１〜７３３とで示される領域が番組の表示欄となっている。
【００４５】
そして、従来の電子番組表では、水平方向に配列されるチャンネル表示枠７２１〜７２７の数が、受信可能なチャンネル数に無関係に基準数（この場合は７つ）に固定されている。このため、例えば受信可能なチャンネル数が５つしかない地域の場合には、図４に示したように、２つのチャンネル表示枠７２６，７２７に対応する番組表示欄が何も表示されない領域、つまり、空き領域となってしまい、電子番組表が全体的にアンバランスで非効率な表示形態で表示されることになる。
【００４６】
そこで、この実施の形態では、受信可能なチャンネル数が基準数である７つよりも少ない、例えば５つしかない地域の場合には、上記番組表作成制御部６３ｅにより、図５に示すように、映像表示器１４に表示される電子番組表の水平方向の全表示領域一杯に、受信可能な５つのチャンネルに対応するチャンネル表示枠７２１〜７２５が、それぞれ均等な幅（間隔）で配列されるように、電子番組表の表示形態を制御している。
【００４７】
すなわち、各チャンネル表示枠７２１〜７２５の幅（間隔）は、基準数（７つ）に基づいて作成されたときよりも拡大されることになる。この場合、各チャンネル表示枠７２１〜７２５の幅（間隔）は、均一に拡大される必要はなく、多少のばらつきを許容するものとし、基準数（７つ）に基づいて作成されたときよりも１チャンネル分の表示枠の幅が平均で拡大されるようにすれば良いものである。
【００４８】
これにより、従来の電子番組表の表示形態のように、無駄な空き領域がなくなり、電子番組表を全体的にバランス良く効率的に表示することができる。この場合、各チャンネル表示枠７２１〜７２５の幅（間隔）が従来よりも広がるので、その分、各番組の表示欄が大きくなるため、文字サイズを大きくして表示することが可能となる。
【００４９】
文字サイズを大きくすることは、例えば、ユーザが、リモートコントローラ１７のメニューキー１７ｐを操作して、階層構造となされたメニュー画面に分け入ることにより文字サイズ変更画面に到達し、その画面上で文字サイズを「標準よりも大」に選択設定しておくことにより可能となる。なお、この文字サイズ変更画面上で「標準」が選択設定された場合には、従来と同じ文字サイズでの表示が可能となり、文字サイズを変更するか否かはユーザによって選択可能となっている。
【００５０】
また、各チャンネル表示枠７２１〜７２５の幅（間隔）が従来よりも広がり、その分、各番組の表示欄が大きくなるので、図６に示すように、表示する情報量を増やすことが可能となる。表示する情報量を増やすことは、例えば、上記文字サイズ変更画面で「標準」が選択設定されている状態で、ユーザが、リモートコントローラ１７のメニューキー１７ｐを操作して、階層構造となされたメニュー画面に分け入ることにより表示情報量変更画面に到達し、その画面上で表示情報量を「標準よりも多」に選択設定しておくことにより可能となる。なお、この表示情報量変更画面上で「標準」が選択設定された場合には、従来と同じ情報量での表示が可能となり、表示する情報量を変更するか否かはユーザによって選択可能となっている。
【００５１】
さらに、各番組の表示欄の大きさと表示すべき情報量とに応じて、図７に示すように、文字サイズや表示する情報量を番組毎に個別に変更することが可能となる。例えば、ＭＨＫ総合で午後７時より放送の「ＭＨＫニュース７」、ＭＨＫ教育で午後６時より放送の「凡才てれびくんＭＡＸ」、ＴＳＴで午後６時より放送の「ＴＳＴスーパーニュース」、日本道テレビで午後６時より放送の「リアルタイム日本道」、日本道テレビで午後７時より放送の「１万人の大質問」なる番組のように、表示する情報量が少ない表示欄には、その表示欄一杯に番組情報が表示されるように文字サイズを拡大して表示している。逆に、上記以外の番組のように、表示する情報量が多い表示欄には、文字サイズを標準にして多くの情報量を表示させている。
【００５２】
この図７に示したような表示形態は、例えば、文字サイズ及び表示情報量が共に「標準」に設定されている状態で、ユーザが、リモートコントローラ１７のメニューキー１７ｐを操作して、階層構造となされたメニュー画面に分け入ることにより表示形態変更画面に到達し、その画面上で表示形態を「表示欄に応じて変更」に選択設定しておくことにより可能となる。なお、この表示形態変更画面上で「標準」が選択設定された場合には、従来と同じ文字サイズ及び情報量での表示が可能となり、表示形態を変更するか否かはユーザによって選択可能となっている。
【００５３】
次に、上記した従来の電子番組表では、受信可能なチャンネル数が基準数である７つよりも多い、例えば９つある地域の場合には、図８（ａ）に示すような７チャンネル分の番組を表示した電子番組表と、図８（ｂ）に示すような２チャンネル分の番組を表示した電子番組表とに画面を切り替えて表示することになるため、ユーザにとって非効率な見辛い表示となっている。
【００５４】
そこで、この実施の形態では、受信可能なチャンネル数が基準数である７つよりも多い地域、例えば９つある地域の場合には、上記番組表作成制御部６３ｅにより、図９に示すように、映像表示器１４に表示される電子番組表の水平方向の全表示領域一杯に、受信可能な９つのチャンネルに対応するチャンネル表示枠７２１〜７２９が、均等な幅（間隔）でそれぞれ配列されるように、電子番組表の表示形態を制御している。
【００５５】
すなわち、各チャンネル表示枠７２１〜７２９の幅（間隔）は、基準数（７つ）に基づいて作成されたときよりも縮小されることになる。この場合、各チャンネル表示枠７２１〜７２９の幅（間隔）は、均一に縮小される必要はなく、多少のばらつきを許容するものとし、基準数（７つ）に基づいて作成されたときよりも１チャンネル分の表示枠の幅が平均で縮小されるようにすれば良いものである。
【００５６】
これにより、従来の電子番組表の表示形態のように、２つの画面を切り替えて表示する手間がなくなり、従来よりも番組表示欄が若干小さくなるものの、ユーザが１画面で受信可能な全チャンネルの番組情報を見ることが可能となって、電子番組表を全体的にバランス良く効率的に表示することができるようになる。なお、図９に示す番組表の表示形態において、番組表示欄の大きさや表示する情報量に応じては、図６及び図７で説明したような各表示形態を併用することが可能であることはもちろんである。
【００５７】
なお、図９に示した表示形態では、各チャンネル表示枠７２１〜７２９の幅（間隔）が従来よりも狭くなるので、その分、各番組の表示欄が小さくなる。このため、図１０に示すように、電子番組表上で現在選択されている番組、つまり、電子番組表上でカーソル（図１０ではハッチングで示す）によって指示された番組について、その番組表示欄の内容を拡大表示させるようにすることが可能となる。
【００５８】
電子番組表上で選択された番組について、その番組表示欄の内容を拡大表示させることは、例えば、ユーザが、リモートコントローラ１７のメニューキー１７ｐを操作して、階層構造となされたメニュー画面に分け入ることにより拡大表示設定画面に到達し、その拡大表示設定画面上で「拡大」を選択設定しておくことにより可能となる。
【００５９】
なお、拡大表示設定画面上で「標準」を選択設定した場合には、電子番組表上で選択された番組の内容についての拡大表示は行なわれず、番組内容の拡大表示を行なうか否かはユーザによって選択可能となっている。また、先に図５〜図７で説明した番組表の各表示形態においても、図１０で説明したような表示形態を併用することが可能であることはもちろんである。
【００６０】
さらに、ユーザが、受信可能なチャンネルの中から特定のチャンネルを電子番組表上に表示させないようにスキップする、いわゆるチャンネルスキップ機能がデジタルテレビジョン放送受信装置１１に搭載されており、図９に示した９つの放送局（チャンネル）の中から、例えば「放送短大」がチャンネルスキップされたとする。
【００６１】
すると、この場合には、上記番組表作成制御部６３ｅが、図１１に示すように、映像表示器１４に表示される電子番組表の水平方向の全表示領域一杯に、受信可能な９つの放送局（チャンネル）から「放送短大」を除いた８つのチャンネルに対応するチャンネル表示枠７２１〜７２８が、均等な幅（間隔）でそれぞれ配列されるように、電子番組表の表示形態を制御している。
【００６２】
このように、ユーザによりチャンネルスキップされたチャンネルを、電子番組表の表示から削除することにより、その分、チャンネル表示枠７２１〜７２８の幅（間隔）が広がり、各番組の表示欄を大きくすることができるので、ユーザにとって見易い表示を行なうことが可能となる。なお、スキップするチャンネル数は、１つだけに限らず２つ以上あってもよく、スキップするチャンネル数が多いほど、表示するチャンネルに対応する各番組の表示欄を大きくすることができる。
【００６３】
図１２は、上記した種々の表示形態で電子番組表を表示させるための処理動作の一例をまとめたフローチャートを示している。まず、処理が開始（ステップＳ１）されると、制御部６３は、ステップＳ２で、チャンネルスキャンを行なうことにより、その地域で受信可能な全チャンネル数を取得する。
【００６４】
その後、制御部６３は、ステップＳ３で、受信可能なチャンネルのうちユーザによってチャンネルスキップされているチャンネルが存在するか否かを判別し、存在すると判断された場合（ＹＥＳ）、ステップＳ４で、受信可能な全チャンネル数からチャンネルスキップされたチャンネル数を減算して、電子番組表に表示するチャンネル数を算出する。
【００６５】
このステップＳ４の後、または、上記ステップＳ３でチャンネルスキップされたチャンネルが存在しないと判断された場合（ＮＯ）、制御部６３は、ステップＳ５で、電子番組表に表示するチャンネルの数が基準数（この場合７つ）であるか否かを判別する。
【００６６】
そして、基準数（７つ）であると判断された場合（ＹＥＳ）、制御部６３は、ステップＳ６で、水平方向の全表示領域一杯に、基準数である７つのチャンネルに対応するチャンネル表示枠がそれぞれ均等な幅（間隔）で配列された表示形態の電子番組表を映像表示器１４に表示させて、処理を終了（ステップＳ７）する。
【００６７】
また、上記ステップＳ５で電子番組表に表示するチャンネル数が基準数（７つ）以外であると判断された場合（ＮＯ）、制御部６３は、ステップＳ８で、上記した文字サイズ変更画面上で文字サイズが「標準よりも大」及び「標準」のいずれに選択設定されているかを判別する。
【００６８】
そして、文字サイズが「標準よりも大」に選択設定されていると判断された場合、制御部６３は、ステップＳ９で、水平方向の全表示領域一杯に、表示すべきチャンネル（基準数である７つ以外）に対応する各チャンネル表示枠がそれぞれ均等な幅（間隔）で配列され、かつ、文字サイズが標準よりも大きく設定された表示形態の電子番組表を映像表示器１４に表示させて、処理を終了（ステップＳ１３）する。
【００６９】
また、上記ステップＳ８で文字サイズが「標準」に選択設定されていると判断された場合、制御部６３は、ステップＳ１０で、上記した表示情報量変更画面上で表示情報量が「標準よりも多」及び「標準」のいずれに選択設定されているかを判別する。
【００７０】
そして、表示情報量が「標準よりも多」に選択設定されていると判断された場合、制御部６３は、ステップＳ１１で、水平方向の全表示領域一杯に、表示すべきチャンネル（基準数である７つ以外）に対応する各チャンネル表示枠がそれぞれ均等な幅（間隔）で配列され、かつ、文字サイズが標準で情報量を多くした表示形態の電子番組表を映像表示器１４に表示させて、処理を終了（ステップＳ１３）する。
【００７１】
また、上記ステップＳ１０で表示情報量が「標準」に選択設定されていると判断された場合、制御部６３は、ステップＳ１２で、水平方向の全表示領域一杯に、表示すべきチャンネル（基準数である７つ以外）に対応する各チャンネル表示枠がそれぞれ均等な幅（間隔）で配列され、かつ、図７に示したように、各番組の番組表示欄の大きさに応じて文字サイズ及び情報量を変更した表示形態の電子番組表を映像表示器１４に表示させて、処理を終了（ステップＳ１３）する。
【００７２】
ここで、上記した実施の形態では、電子番組表に表示すべきチャンネルの数が基準数よりも少ない場合にチャンネル表示枠の幅（間隔）を拡大する機能と、電子番組表に表示すべきチャンネルの数が基準数よりも多い場合にチャンネル表示枠の幅（間隔）を縮小する機能との両方の機能を持つことについて説明したが、必ずしも両方の機能を持つ必要はない。
【００７３】
すなわち、電子番組表に表示すべきチャンネルの数が基準数よりも多い場合、従来では図８（ａ），（ｂ）に示したように２つの画面を切り替えて表示することになって見難くなるため、チャンネル表示枠の幅（間隔）を縮小し１画面にまとめて表示させることは非常に効果的である。しかしながら、電子番組表に表示すべきチャンネルの数が基準数よりも少ない場合には、必ずしもチャンネル表示枠の幅（間隔）を拡大して表示させる必要はなく、図５に示した従来の表示形態のままでもよいものである。
【００７４】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７５】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】表示されるチャンネル数が固定された従来の電子番組表における表示形態の一例を説明するために示す図。
【図５】同実施の形態におけるデジタルテレビジョン放送受信装置で表示される電子番組表の一表示形態を説明するために示す図。
【図６】同実施の形態におけるデジタルテレビジョン放送受信装置で表示される電子番組表の一表示形態を変形させた一例を説明するために示す図。
【図７】同実施の形態におけるデジタルテレビジョン放送受信装置で表示される電子番組表の一表示形態を変形させた他の例を説明するために示す図。
【図８】表示されるチャンネル数が固定された従来の電子番組表における表示形態の他の例を説明するために示す図。
【図９】同実施の形態におけるデジタルテレビジョン放送受信装置で表示される電子番組表の他の表示形態を説明するために示す図。
【図１０】同実施の形態におけるデジタルテレビジョン放送受信装置で表示される電子番組表の他の表示形態を変形させた一例を説明するために示す図。
【図１１】同実施の形態におけるデジタルテレビジョン放送受信装置で表示される電子番組表の他の表示形態を変形させた他の例を説明するために示す図。
【図１２】同実施の形態におけるデジタルテレビジョン放送受信装置で実行される主要な処理動作を説明するために示すフローチャート。
【符号の説明】
【００７６】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…番組表作成制御部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ、７２１〜７２９…チャンネル表示枠、７３１〜７３３…時間枠。
【図１】
2009071357.tif 000003
【図２】
2009071357.tif 000004
【図３】
2009071357.tif 000005
【図４】
2009071357.tif 000006
【図５】
2009071357.tif 000007
【図６】
2009071357.tif 000008
【図７】
2009071357.tif 000009
【図８】
2009071357.tif 000010
【図９】
2009071357.tif 000011
【図１０】
2009071357.tif 000012
【図１１】
2009071357.tif 000013
【図１２】
2009071357.tif 000014